(57)【要約】    【課題】      ＲＳＣＰ、ＩＳＣＰ等の測定において誤差の発生を防止すること。    【解決手段】  制御部１０４は、Ａ／Ｄコンバータ１０３から出力されたディジタル信号Ｓ１の初期同期を行い、受信タイミング、拡散コード等の検出を行い、フィンガ部１０６に受信タイミング、拡散コード等を出力する。また、制御部１０４は、上位局より通知される下り回線のフレームフォーマット情報を、ＡＧＣ部１０５に出力する。ＡＧＣ部１０５は、制御部１０４の制御の下、信号Ｓ１の受信電力を測定すると共にゲインを算出して、無線部１０２内の受信アンプを制御する。ＲＳＣＰ測定部１０９およびＩＳＣＰ測定部１１０は、フィンガ部１０６またはＲＡＫＥ合成部１０７が出力する逆拡散信号、位相推定値、同期検波後信号、レイク合成信号等からＲＳＣＰおよびＩＳＣＰをそれぞれ測定する。  【選択図】      図１
2005151249.tif 000002
【特許請求の範囲】
【請求項１】
受信信号の電力を測定し、測定された電力に応じた増幅利得で前記受信信号を増幅する増幅手段と、
前記受信信号のフレームフォーマット情報を取得する取得手段と、
前記取得手段によって取得されたフレームフォーマット情報に基づいて、前記増幅手段が測定された電力に応じて増幅利得を更新する期間、および前記増幅手段が電力を測定する期間、の一方または双方を決定する決定手段と、
を具備することを特徴とする無線受信装置。
【請求項２】
受信品質の算出に使用される電力を算出する算出手段をさらに具備し、
前記決定手段は、
前記算出手段が受信品質の算出に使用される電力を算出する期間以外の期間を前記増幅手段が増幅利得を更新する期間として決定する、
ことを特徴とする請求項１記載の無線受信装置。
【請求項３】
前記受信品質の算出に使用される電力は、
ＲＳＣＰ（Received Signal Code Power）およびＩＳＣＰ（Interference Signal Code Power）である、
ことを特徴とする請求項２記載の無線受信装置。
【請求項４】
前記取得手段によって取得されたフレームフォーマット情報からＤＰＣＣＨ信号の送信期間を特定する特定手段をさらに具備し、
前記決定手段は、
前記特定手段によって特定されたＤＰＣＣＨ信号の送信期間内の所定の期間を前記増幅手段が電力を測定する期間として決定する、
ことを特徴とする請求項１記載の無線受信装置。
【請求項５】
請求項１から請求項４のいずれかに記載の無線受信装置を具備することを特徴とする通信端末装置。
【請求項６】
受信信号の電力を測定する測定ステップと、
測定された電力に応じた増幅利得で前記受信信号を増幅する増幅ステップと、
前記受信信号のフレームフォーマット情報を取得する取得ステップと、
取得されたフレームフォーマット情報に基づいて、前記増幅ステップにおいて電力に応じて増幅利得が更新される期間、および前記測定ステップにおいて電力が測定される期間、の一方または双方を決定する決定ステップと、
を具備することを特徴とする受信信号増幅方法。
【請求項７】
受信信号の電力を測定する測定ステップと、
測定された電力に応じた増幅利得で前記受信信号を増幅する増幅ステップと、
前記受信信号のフレームフォーマット情報を取得する取得ステップと、
取得されたフレームフォーマット情報に基づいて、前記増幅ステップにおいて電力に応じて増幅利得が更新される期間、および前記測定ステップにおいて電力が測定される期間、の一方または双方を決定する決定ステップと、
をコンピュータに実行させることを特徴とする受信信号増幅プログラム。
【発明の詳細な説明】
【技術分野】
【０００１】
本発明は、符号分割多元接続（Code Division Multiple Access；ＣＤＭＡ）等の方式を採用した無線受信装置および当該装置において使用される受信信号増幅方法に関する。
【背景技術】
【０００２】
図７は、従来のＣＤＭＡ方式を採用した無線受信装置の構成を示すブロック図である（例えば、特許文献１参照）。
【０００３】
アンテナ１１によって受信されたＣＤＭＡ信号は、受信機前段１２で中間周波数となり、制御電圧によってゲインを可変とすることができるＡＧＣ（Automatic Gain Control）アンプ１３で増幅された後、復調部１４によってベースバンド信号に復調される。このベースバンド信号は、ローパスフィルタ（ＬＰＦ）１５により１チャネル相当の帯域に制限され、Ａ／Ｄコンバータ１６で量子化される。電力計算部１７は、量子化された信号に対してスロットの先頭から任意の時間電力を加算して平均化し、この平均電力を制御部１８に伝える。
【０００４】
制御部１８は、後述の「制御すべき時間」を計算し、所定の時間になるとＤ／Ａコンバータ１９に制御データを送出する。すなわち、制御部１８は、電力計算部１７によって求まった平均電力に基づいて「制御すべき時間」を計算し、制御量に応じたタイミング（時間）で、この制御量を表す制御データをＤ／Ａコンバータ１９へ送出する。
【０００５】
Ｄ／Ａコンバータ１９は、制御データをアナログ制御信号に変換し、この制御信号は、ローパスフィルタ２０で波形整形され、ＡＧＣアンプ１３に制御電圧を与える。なお、スロット先頭情報は、逆拡散部２１から電力計算部１７へ伝達される。また、電力計算部１７は、電力の計算をスロットの先頭からではなく、スロットの途中から行っても良い。
【０００６】
上記の構成により、従来の無線受信装置は、「制御すべき時間」を計算し、制御量に応じたタイミングで制御データを送出する。すなわち、電圧の立ち上がりに要する時間を見込んでＡＧＣの制御開始時刻を早める。これにより、目標電圧に到達する時刻を次のスロットの先頭と一致するように調整することが可能となる。
【特許文献１】特開２００１−１１１５２３号公報（第１、２、４図）
【発明の開示】
【発明が解決しようとする課題】
【０００７】
しかしながら、上記の無線受信装置は、ＡＧＣの制御開始時刻を早めるため、受信信号のスロット後半からＡＧＣアンプのゲイン更新に伴い受信電力が変化する。一方、この領域（時間帯）には、ＳＩＲ（Signal-to-Interference Ratio）測定に使用されるＲＳＣＰ（Received Signal Code Power；希望波電力）およびＩＳＣＰ（Interference Signal Code Power；干渉波電力）の測定対象であるパイロットシンボル等が存在する。よって、ＡＧＣアンプのゲイン更新に伴いＲＳＣＰおよびＩＳＣＰのレベル測定値に誤差が発生するという問題がある。
【０００８】
また、従来の無線受信装置は、ＡＧＣゲイン算出の基準となる受信電力の測定期間が、スロットの先頭または途中であるが、具体的には定まっていない。一方、ＣＤＭＡ方式の通信システムにおいては、下り回線がＤＴＸ（Discontinuous Transmission；間欠送信）制御されているとき、ＤＴＸ時には、ＤＰＣＣＨ（Dedicated Physical Control Channel）は送信されるのに対しＤＰＤＣＨ（Dedicated Physical Data Channel）は送信されない。よって、ＡＧＣゲイン算出の基準となる受信電力の測定期間内に、ＤＰＤＣＨが送信される期間を含む場合、ＤＴＸ時にＡＧＣ制御を正確に行えないという問題もある。
【０００９】
本発明は、かかる点に鑑みてなされたものであり、受信品質測定に使用される各種電力（ＲＳＣＰ、ＩＳＣＰ等）の測定において誤差の発生を防止し、また、ＤＴＸ時においても正確にＡＧＣ制御をすることにより、受信性能を向上させることができる無線受信装置および当該装置において使用される受信信号増幅方法を提供することを目的とする。
【課題を解決するための手段】
【００１０】
本発明の無線受信装置は、受信信号の電力を測定し、測定された電力に応じた増幅利得で前記受信信号を増幅する増幅手段と、前記受信信号のフレームフォーマット情報を取得する取得手段と、前記取得手段によって取得されたフレームフォーマット情報に基づいて、前記増幅手段が測定された電力に応じて増幅利得を更新する期間、および前記増幅手段が電力を測定する期間、の一方または双方を決定する決定手段と、を具備する構成を採る。
【００１１】
この構成によれば、受信信号のフレームフォーマット情報に基づいて、ＡＧＣゲインの更新期間またはＡＧＣゲイン算出の基準となる受信電力の測定期間を決定するため、例えば、受信品質測定に使用される各種電力（ＲＳＣＰ、ＩＳＣＰ等）を測定する場合において誤差の発生を防止することができ、また、ＤＴＸ時においても正確にＡＧＣ制御をすることができる。よって、受信性能を向上させることができる。
【００１２】
本発明の無線受信装置は、上記の構成において、受信品質の算出に使用される電力を算出する算出手段をさらに具備し、前記決定手段は、前記算出手段が受信品質の算出に使用される電力を算出する期間以外の期間を前記増幅手段が増幅利得を更新する期間として決定する構成を採る。
【００１３】
本発明の無線受信装置は、上記の構成において、前記受信品質の算出に使用される電力は、ＲＳＣＰ（Received Signal Code Power）およびＩＳＣＰ（Interference Signal Code Power）である構成を採る。
【００１４】
これらの構成によれば、受信信号のフレームフォーマット情報に基づいて、ＲＳＣＰおよびＩＳＣＰの測定対象のシンボルを特定し、ＡＧＣゲインの更新タイミングがＲＳＣＰおよびＩＳＣＰの測定期間から外れるようにＡＧＣ制御を行うため、ＲＳＣＰおよびＩＳＣＰの測定において誤差が発生することを防止でき、受信性能を向上させることができる。
【００１５】
本発明の無線受信装置は、上記の構成において、前記取得手段によって取得されたフレームフォーマット情報からＤＰＣＣＨ信号の送信期間を特定する特定手段をさらに具備し、前記決定手段は、前記特定手段によって特定されたＤＰＣＣＨ信号の送信期間内の所定の期間を前記増幅手段が電力を測定する期間として決定する構成を採る。
【００１６】
この構成によれば、ＤＴＸ時においても、受信信号においてＤＰＣＣＨが送信されている期間を特定するので、この期間の受信信号に基づいてＡＧＣ制御を行うことができ、受信性能を向上させることができる。
【００１７】
本発明の通信端末装置は、上記いずれかに記載の無線受信装置を具備する構成を採る。
【００１８】
この構成によれば、上記と同様の作用効果を有する通信端末装置を提供することができる。
【００１９】
本発明の受信信号増幅方法は、受信信号の電力を測定する測定ステップと、測定された電力に応じた増幅利得で前記受信信号を増幅する増幅ステップと、前記受信信号のフレームフォーマット情報を取得する取得ステップと、取得されたフレームフォーマット情報に基づいて、前記増幅ステップにおいて電力に応じて増幅利得が更新される期間、および前記測定ステップにおいて電力が測定される期間、の一方または双方を決定する決定ステップと、を具備するようにした。
【００２０】
本発明の受信信号増幅プログラムは、受信信号の電力を測定する測定ステップと、測定された電力に応じた増幅利得で前記受信信号を増幅する増幅ステップと、前記受信信号のフレームフォーマット情報を取得する取得ステップと、取得されたフレームフォーマット情報に基づいて、前記増幅ステップにおいて電力に応じて増幅利得が更新される期間、および前記測定ステップにおいて電力が測定される期間、の一方または双方を決定する決定ステップと、をコンピュータに実行させるようにした。
【００２１】
この方法およびプログラムによれば、受信信号のフレームフォーマット情報に基づいて、ＡＧＣゲインの更新期間またはＡＧＣゲイン算出の基準となる受信電力の測定期間を決定するため、例えば、受信品質測定に使用される各種電力（ＲＳＣＰ、ＩＳＣＰ等）の測定において誤差の発生を防止し、また、ＤＴＸ時においても正確にＡＧＣ制御をすることができるので、受信性能を向上させることができる。
【発明の効果】
【００２２】
以上説明したように、本発明によれば、受信品質測定に使用される各種電力（ＲＳＣＰ、ＩＳＣＰ等）の測定において誤差の発生を防止し、また、ＤＴＸ時においても正確にＡＧＣ制御をすることができるので、受信性能を向上させることができる。
【発明を実施するための最良の形態】
【００２３】
本発明の骨子は、受信信号のフレームフォーマット情報に基づいて、ＡＧＣゲインの更新期間またはＡＧＣゲイン算出の基準となる受信電力の測定期間を決定することである。
【００２４】
以下、本発明の実施の形態について、添付図面を参照して詳細に説明する。なお、ここでは、無線受信装置として、ＣＤＭＡ方式の通信システムにおいて、基地局から送信される下り回線のＣＰＩＣＨ（Common Pilot Channel）およびＤＰＣＨ（Dedicated Physical Channel）を受信する通信端末を例にとって説明する。
【００２５】
（実施の形態１）
図１は、本発明の実施の形態１に係る無線受信装置の主要な構成を示すブロック図である。
【００２６】
本実施の形態に係る無線受信装置は、アンテナ１０１、無線部１０２、Ａ／Ｄコンバータ１０３、制御部１０４、ＡＧＣ部１０５、フィンガ部１０６（１０６−１〜１０６−ｎ）、ＲＡＫＥ合成部１０７、チャネルデコーダ１０８、ＲＳＣＰ測定部１０９、ＩＳＣＰ測定部１１０、およびＳＩＲ測定部１１１を有する。
【００２７】
本実施の形態に係る無線受信装置の各部は以下の動作を行う。
【００２８】
無線部１０２は、アンテナ１０１で受信された受信信号の増幅および復調の処理を行い、得られたベースバンドのアナログ信号を出力する。Ａ／Ｄコンバータ１０３は、ベースバンドのアナログ信号をＡ／Ｄ変換し、ディジタル信号を出力する。フィンガ部１０６は、制御部１０４から通知されるタイミングおよび拡散コードを用いて受信ディジタル信号の逆拡散および同期検波を行う。ＲＡＫＥ合成部１０７は、各フィンガ部１０６から出力される同期検波後の信号をレイク（ＲＡＫＥ）合成する。チャネルデコーダ１０８は、レイク合成された信号に対してフレーム分解、誤り訂正復号等の処理を行い、受信データを得る。
【００２９】
一方、制御部１０４は、Ａ／Ｄコンバータ１０３が出力するディジタル信号Ｓ１からマッチトフィルタ等を用いて初期同期を行い、受信タイミング、拡散コード等の検出を行う。そして、検出結果に従って、フィンガ部１０６の中から復調チャネル数に応じたフィンガを選択し（フィンガ割り当て）、これらに受信タイミング、拡散コード等を示す制御信号Ｓ３を出力する。また、制御部１０４は、上記の検出結果に加え、上位局より通知される下り回線のフレームフォーマット情報を、制御信号Ｓ２を介してＡＧＣ部１０５に出力する。
【００３０】
ＡＧＣ部１０５は、制御部１０４から出力される制御信号Ｓ２に基づいて、指定されたタイミングでＡ／Ｄコンバータ１０３から出力されるディジタル信号Ｓ１の受信電力を測定（算出）すると共に、指定されたタイミングでゲインを算出し、無線部１０２内の受信アンプを制御する（アンプ制御信号Ｓ４）。
【００３１】
ＲＳＣＰ測定部１０９およびＩＳＣＰ測定部１１０は、フィンガ部１０６が出力する逆拡散信号、位相推定値、同期検波後信号、レイク合成信号等からＲＳＣＰおよびＩＳＣＰのレベルをそれぞれ測定する。なお、ＲＳＣＰ測定部１０９およびＩＳＣＰ測定部１１０は、使用するアルゴリズムによっては、ＲＡＫＥ合成部１０７の出力からＲＳＣＰおよびＩＳＣＰのレベルを測定しても良い。ＳＩＲ測定部１１１は、ＲＳＣＰ測定部１０９とＩＳＣＰ測定部１１０の出力の比を算出し、ＳＩＲ値を得る。
【００３２】
次いで、上記構成を有する無線受信装置の受信アンプのＡＧＣゲインの算出処理について説明する。
【００３３】
制御部１０４は、上位局から通知された下り回線のフレームフォーマット情報に基づいて、ＲＳＣＰ測定部１０９およびＩＳＣＰ測定部１１０でこれから行われるＲＳＣＰおよびＩＳＣＰの測定期間を判断する。そして、この判断結果に従って、制御部１０４は、ＡＧＣ部１０５の電力測定（算出）の動作を制御する動作制御信号とゲインの更新タイミングを制御する更新タイミング信号とを含む制御信号Ｓ２をＡＧＣ部１０５に出力する。この動作制御信号と更新タイミング信号は、ＲＳＣＰ測定部１０９およびＩＳＣＰ測定部１１０において行われるＲＳＣＰおよびＩＳＣＰの測定期間と、ＡＧＣ部１０５において行われるＡＧＣゲイン制御値の更新によるゲイン変動期間とが重なることがないようにＡＧＣ部１０５の動作を制御する制御信号となっている。
【００３４】
次に、制御部１０４から制御信号Ｓ２を受けたＡＧＣ部１０５は、以下の処理を行う。
【００３５】
図２は、ＡＧＣ部１０５の主要な構成を示すブロック図である。このＡＧＣ部１０５は、電力累積部１１２、除算部１１３、減算器１１４、誤差蓄積部１１５、受信アンプ制御部１１６、およびＤ／Ａコンバータ１１７を有する。
【００３６】
電力累積部１１２は、制御部１０４から出力された上記の動作制御信号がＯＮを示している期間において、Ａ／Ｄコンバータ１０３の出力Ｓ１から受信電力を算出し、この算出値を累積する。除算部１１３は、電力累積部１１２の出力を累積データ数で除算することにより、平均受信電力を算出する。減算器１１４は、除算部１１３が出力する平均受信電力と予め設定されている目標収束値との差を求めることにより、誤差を算出し、これを出力する。誤差蓄積部１１５は、減算器１１４が出力する誤差を蓄積する。受信アンプ制御部１１６は、制御部１０４から出力された上記の更新タイミング信号がＯＮになった際に、誤差蓄積部１１５から誤差蓄積値を得て、この値から無線部１０２内の受信アンプで使用されるゲインを算出し、このゲインに基づいた利得制御値をＤ／Ａコンバータ１１７に出力する。Ｄ／Ａコンバータ１１７は、この利得制御値をＤ／Ａ変換し、得られたアナログ信号のアンプ制御信号Ｓ４を無線部１０２内の受信アンプに出力する。
【００３７】
図３は、ＡＧＣゲインの算出が実際にどのタイミングで行われるか、すなわち、ＡＧＣゲインの更新が可能なタイミングはいつであるかを受信信号のフレーム構成において示した図である。この図において、ＩＳＣＰおよびＲＳＣＰの測定対象のシンボルが斜線で示されている。よって、ＡＧＣゲインの更新が可能なタイミングは、斜線を含まない期間内のいずれかのシンボルとなる。ここでは、スロットの先頭でゲイン更新が行われる例を示している。
【００３８】
このように、本実施の形態によれば、制御部１０４は、下り物理チャネル情報（下り回線のフレームフォーマット情報）に基づいて、ＲＳＣＰおよびＩＳＣＰの測定対象のシンボルを特定し、ＡＧＣゲインの更新タイミングがＲＳＣＰおよびＩＳＣＰの測定期間から外れるようにＡＧＣ部１０５を制御するため、ＲＳＣＰおよびＩＳＣＰの測定において誤差が発生することを防止でき、受信性能を向上させることができる。
【００３９】
（実施の形態２）
本発明の実施の形態２の特徴は、受信信号のうちＤＰＤＣＨ（Dedicated Physical Data Channel）を含む領域を、ＡＧＣゲイン算出の基準となる受信電力の測定（算出）期間に含めないように、ＤＰＣＣＨ（Dedicated Physical Control Channel）が送信されている期間を特定し、この期間において上記の受信電力の測定を行うことである。
【００４０】
本実施の形態に係る無線受信装置は、図１に示した無線受信装置と同様の基本的構成を有している。図１に示した無線受信装置と異なるのは、制御部１０４の構成である。
【００４１】
図４は、制御部１０４が有する制御信号生成回路２０１の主な構成を示すブロック図である。この制御信号生成回路２０１は、カウンタ２０２−１、２０２−２（総称時には単に２０２）および論理積回路２０３を有し、ＡＧＣ部１０５への動作制御信号を生成する。
【００４２】
制御信号生成回路２０１の各部は以下の動作を行う。
【００４３】
カウンタ２０２−１およびカウンタ２０２−２には、それぞれカウンタ上限値１およびカウンタ上限値２が入力される。カウンタ上限値１には、ＤＰＣＨの最初のデータ部、すなわち、最初のＤＰＤＣＨ（Dedicated Physical Data Channel）のシンボル数（Ndata1）が設定される。また、カウンタ上限値２には、ＤＰＣＨの最初の制御データ部、すなわち、最初のＤＰＣＣＨのＴＰＣ（Transmission Power Control）部およびＴＦＣＩ（Transport Format Combination Indicator）部のシンボル数を上記の Ndata1 に加えたシンボル数（NData1＋Ntpc＋Ntfci）が設定される。
【００４４】
また、カウンタ２０２（２０２−１、２０２−２）に、クロック信号が入力される。クロック信号は内部クロック（発振器）によって一定周期毎（ここでは、シンボル毎）に生成される信号で、クロック信号が入力される度にカウンタ２０２のカウント値は１インクリメントされる。そして、カウンタ値がカウンタ上限値に達するまではカウンタ２０２は０を出力し続け、カウント値がカウンタ上限値に達するとカウンタ２０２は１を出力するようになる。
【００４５】
さらに、カウンタ２０２に、リセット信号がスロット毎に入力される。リセット信号が入力された場合、カウンタ２０２はカウント値を０にリセットし、０を出力する。
【００４６】
論理積回路２０３は、カウンタ２０２−１、２０２−２の出力の否定の論理積を出力する。制御部１０４は、この論理積をＡＧＣ部１０５に出力する。
【００４７】
図５は、ＤＰＣＨのフレーム構成を示す図である。
【００４８】
この図に示されたように、ＤＰＣＨはＤＰＤＣＨとＤＰＣＣＨとが時分割に配置されたフレーム構成となっており、スロットの先頭から数えて所定シンボル後ろのデータがＤＰＤＣＨであるのかＤＰＣＣＨであるのか、またＤＰＣＣＨのうちの何部に相当するのかを一意に判断することができる。そこで、本実施の形態では、カウンタ上限値１を Ndata1 と設定することにより、最初のＤＰＣＣＨの先端の位置を検出することができる。また、カウンタ上限値２を Ndata1＋Ntpc＋Ntfci と設定することにより、最初のＤＰＣＣＨの末端の位置を検出することができる。
【００４９】
なお、ここでは、カウンタ２０２の設置数が２である場合を例にとって説明したため、最初のＤＰＣＣＨの先端および末端しか検出できないが、カウンタ２０２の設置数を増やすことにより、例えば、スロット後半に位置するパイロットシンボル（ＤＰＣＣＨ）の区間も電力測定対象に含めることができる。
【００５０】
図６は、上記の構成を有する制御信号生成回路２０１によって生成される制御信号とＤＰＣＨとの関係を示す図である。なお、ここでは、ＤＰＣＨのスロットフォーマットを８とし、ＴＰＣシンボルおよびパイロットシンボルは、図の斜線の位置に配置されているとする。
【００５１】
ここでは、カウンタ２０２が３つ設置されており、ＴＰＣシンボルおよびパイロットシンボルを検出できる（具体的には、ＴＰＣシンボルの先端および末端、パイロットシンボルの先端を検出できる）カウンタ上限値１〜３がそれぞれ設定されている。
【００５２】
時刻ｔ１において、カウンタ２０２にはリセット信号が入力されるので、カウンタ値は０である。時刻ｔ２において、この時点に至るまでクロック信号は３回発振されているのでカウンタ値は３となり、カウンタ上限値１（設定値は３）に到達してＴＰＣシンボルの先端が検出される。時刻ｔ３において、カウンタ値はカウンタ上限値２（設定値は４）に到達してＴＰＣシンボルの末端が検出される。そして、時刻ｔ４において、カウンタ値はカウンタ上限値３に到達してパイロットシンボルの先端が検出される。時刻ｔ５において、カウンタ２０２にはリセット信号が入力されるので、カウンタ値は０にリセットされる。
【００５３】
これらの検出結果に応じて、図に示すように、動作制御信号Ｃ１〜Ｃ３が生成される。ここでは、電力測定対象をＴＰＣシンボルとする場合（Ｃ１）、パイロットシンボルとする場合（Ｃ３）、双方とする場合（Ｃ２）の３種類を示している。なお、さらにＴＦＣＩシンボルを電力測定対象に加えても良い。
【００５４】
このように、本実施の形態によれば、ＤＴＸ時においても、制御部１０４内の制御信号生成回路２０１が受信信号においてＤＰＣＣＨが送信されている期間を特定するので、ＡＧＣ部１０５はこの期間に測定された受信信号の電力に基づいてＡＧＣ制御を行うことができ、受信性能を向上させることができる。
【００５５】
本発明に係る無線受信装置は、上記の実施の形態１、２に限定されず、種々変更して実施することが可能である。例えば、実施の形態１、２は、適宜組み合わせて実施することが可能である。
【００５６】
本発明に係る無線受信装置は、セルラ方式等を用いた通信端末装置および基地局装置に搭載することも可能であり、これにより上記と同様の作用効果を有する通信端末装置および基地局装置を提供することができる。
【００５７】
なお、ここでは、本発明をハードウェアで構成する場合を例にとって説明したが、本発明はソフトウェアで実現することも可能である。
【産業上の利用可能性】
【００５８】
本発明に係る無線受信装置は、受信性能を向上させる効果を有し、ＣＤＭＡ方式を採用した受信装置等として有用である。
【図面の簡単な説明】
【００５９】
【図１】実施の形態１に係る無線受信装置の主要な構成を示すブロック図
【図２】実施の形態１に係るＡＧＣ部の主要な構成を示すブロック図
【図３】ＡＧＣゲインの更新が可能なタイミングはいつであるかを受信信号のフレーム構成において示した図
【図４】実施の形態２に係る制御信号生成回路の主な構成を示すブロック図
【図５】ＤＰＣＨのフレーム構成を示す図
【図６】実施の形態２に係る制御信号生成回路によって生成される制御信号とＤＰＣＨとの関係を示す図
【図７】従来のＣＤＭＡ方式を採用した無線受信装置の構成を示すブロック図
【符号の説明】
【００６０】
１０２  無線部
１０４  制御部
１０５  ＡＧＣ部
１０９  ＲＳＣＰ測定部
１１０  ＩＳＣＰ測定部
１１１  ＳＩＲ測定部
１１２  電力累積部
１１３  除算部
１１４  減算器
１１５  誤差蓄積部
１１６  受信アンプ制御部
１１７  Ｄ／Ａコンバータ
２０１  制御信号生成回路
２０２−１、２０２−２  カウンタ
２０３  論理積回路
【図１】
2005151249.tif 000003
【図２】
2005151249.tif 000004
【図３】
2005151249.tif 000005
【図４】
2005151249.tif 000006
【図５】
2005151249.tif 000007
【図６】
2005151249.tif 000008
【図７】
2005151249.tif 000009